(57)【要約】【課題】メモリーカード収納部に収納されたメモリーカードを簡単に取り出せるようにした収納されたカード収納用ケースを提供できるようにする.【解決手段】少なくとも１つのメモリーカード収納部を形成してなるケース本体と、このケース本体の前記メモリーカード収納部の開口部を開閉可能に蓋する蓋体とを備え、メモリーカード収納部はここに収納されるカードの下面を支持するカード支持部を有し、当該カード支持部の１部にカード取り出し用跳ね上げ部を形成した。【選択図】図５
2010029509.tif 000002
【特許請求の範囲】
【請求項１】
少なくとも１つのメモリーカード収納部を形成してなるケース本体と、このケース本体の前記メモリーカード収納部の開口部を開閉可能に蓋する蓋体とを備え、メモリーカード収納部はここに収納されるメモリーカードの下面を支持するメモリーカード支持部を有し、当該メモリーカード支持部の１部にメモリーカード取り出し用跳ね上げ部を形成したことを特徴とするメモリーカード収納用ケース。
【請求項２】
メモリーカード収納部が上下または／及び左右に連続する状態で複数形成されており、各メモリーカード収納部が個別に開閉可能な蓋体を備えていることを特徴とする請求項１に記載のメモリーカード収納用ケース。
【請求項３】
メモリーカード収納部に収納されるカードがゲーム機用のソフトカードであって、当該ゲーム機の付属部品の部品等を収納する小物収納部をケース本体の１部に形成したことを特徴とする請求項１または請求項２に記載のメモリーカード収納用ケース。
【発明の詳細な説明】
【技術分野】
【０００１】
本発明は、主としてゲーム機に使用するメモリーカードを収納するメモリーカード収納用ケースに関するものである。
【背景技術】
【０００２】
ゲーム機においては、メモリーカードを差し替えることにより、種々なゲームを楽しめるようになっている。
このことは、多数のメモリーカードを備える必要がある。
斯くして複数のメモリーカードを所有する場合、これを整理したり携行するためのメモリーカード収納用ケースが必要になる。
かかるメモリーカード収納用ケースとしては、個々のメモリーカードをそれぞれ個別のケースに収納する形式もの（特許文献１及び特許文献２）や、１つの基盤にメモリーカード収納部を複数設け、このメモリーカード収納部にそれぞれメモリーカードを収納するようにしたもの（特許文献３）が提案されている。
【０００３】
ところが、これらのメモリーカード収納用ケースでは、メモリーカード収納部に収納されるメモリーカードがずれ動かないように、メモリーカード収納部に落とし込まれたメモリーカードの周縁部分がしっかりと保持されるため、メモリーカードをメモリーカード収納部から取り出すときに取り出しにくく、強引に取り出したりすると、メモリーカードの筺体にクラックが入ったり欠けたりしてしまうという問題があった。
【特許文献１】特開２００４−２１９６４号公報
【特許文献２】特開平８−１１９７３号公報
【特許文献３】特開２０００−８５８７３号公報
【発明の開示】
【発明が解決しようとする課題】
【０００４】
本発明は上記問題点に鑑みて提案されたもので、メモリーカード収納部に収納されたメモリーカードを簡単に取り出せるようにした収納されたメモリーカード収納用ケースを提供できるようにすることを目的とするものである。
【課題を解決するための手段】
【０００５】
上記目的を達成するために、本発明にかかるメモリーカード収納用ケースは、少なくとも１つのメモリーカード収納部を形成してなるケース本体と、このケース本体の前記メモリーカード収納部の開口部を開閉可能に蓋する蓋体とを備え、メモリーカード収納部はここに収納されるメモリーカードの下面を支持するメモリーカード支持部を有し、当該メモリーカード支持部の１部にメモリーカード取り出し用跳ね上げ部を形成したことを最も主要な特徴とするものである。
【０００６】
また、本発明にかかるメモリーカード収納用ケースは、メモリーカード収納部が上下または／及び左右に連続する状態で複数形成されており、各メモリーカード収納部が個別に開閉可能な蓋体を備えていることや、メモリーカード収納部に収納されるメモリーカードがゲーム機用のゲーム用ソフトであって、当該ゲーム機の付属部品の部品等を収納する小物収納部をケース本体の１部に形成したことも特徴とするものである。
【発明の効果】
【０００７】
本発明にかかるメモリーカード収納用ケースは、少なくとも１つのメモリーカード収納部を形成してなるケース本体と、このケース本体のメモリーカード収納部の開口部を開閉可能に蓋する蓋体とを備え、メモリーカード収納部はここに収納されるメモリーカードの下面を支持するメモリーカード支持部を有し、メモリーカード支持部の１部にメモリーカード取り出し用跳ね上げ部を形成するようにしてあるので、跳ね上げ部を操作するだけでメモリーカードの他方の端部が跳ね上がるので、この跳ね上がった端部を持って引き出すだけでメモリーカード収納用ケースからメモリーカードをその筺体にクラックが入ったり欠けたりすることなく簡単に取り出すことができる。
【０００８】
また、メモリーカード収納部が上下または／及び左右に連続する状態で複数形成されており、各メモリーカード収納部が個別に開閉可能な蓋体を備えたものでは、上記効果に加えて、メモリーカード収納用ケースを、複数のメモリーカードの整理や携行に至便なものにすることができる利点がある。
【０００９】
さらに、メモリーカード収納部に収納されるカードがゲーム機用のゲーム用ソフトであって、当該ゲーム機の付属部品の部品等を収納する小物収納部をケース本体の１部に形成したものでは前記メモリーカードをメモリーカード収納用ケースからメモリーカードの筺体にクラックが入ったり欠けたりすることなく簡単に取り出すことができるという上記効果に加えて、ゲーム機で使用する小物の散逸や紛失を防止でき、整理や携行に一層至便なものにすることができる利点がある。
【発明を実施するための最良の形態】
【００１０】
以下、本発明のメモリーカード収納用ケースにかかる最も好ましい実施の形態を図面に基づいて説明する。
図１は、メモリーカード収納用ケースの使用状態の１例を示す斜視図、図２はその平面図、図３はメモリーカード収納用ケースの正面図、図４は図２のＡ−Ａ線断面図であって、図中符号１はメモリーカード収納用ケースを全体的に示す。
このメモリーカード収納用ケース１は、矩形の板状をした例えばゲーム用ソフトが書き込まれたROM若しくはRAM等からなるメモリーカード２を個別に収納する複数のメモリーカード収納部３とその側方部分に小物収納部４形成してなる合成樹脂製のケース本体５と、このケース本体５のメモリーカード収納部３及び小物収納部４の各開口部７・８を開閉可能に蓋する蓋体９とを備えてなる。
【００１１】
上記メモリーカード収納部３は、長方形の空間で形成され、このメモリーカード収納部３は空間が４個連続する状態で上下２段に形成され、この上下２段で４個連続して形成されたメモリーカード収納部３の一側方には上方が開口する細長い箱状に形成された上記小物収納部４が形成されている。
そして、上下のメモリーカード収納部３を仕切る底部６には長方形の穴１０が形成されるとともに、当該長方形の穴１０の長辺の近傍にメモリーカード２を取り出すときにメモリーカード２を跳ね上げるための跳ね上げ部１１が形成されている。
この跳ね上げ部１１は長方形の穴の長辺にそって一対のメモリーカード支持用の板状部材（メモリーカード支持部）１２を立設し、その一端側（図上小物収納部４側）を傾斜状１３に切り欠いて形成したものである。
また、ケース本体５のメモリーカード収納部３と小物収納部４との間の仕切り部分には蓋体固定用の１条の溝１４が刻設されており、この溝１４の端部で、ケース本体５の側壁部分１６には蓋体９の取り付け用の角穴１５が透設されている。
【００１２】
上記蓋体９は図における上方のメモリーカード収納部３および小物収納部４の各開口部７・８を蓋する蓋体部分１７・１８と、下方のメモリーカード収納部３の開口部８を蓋する蓋体部分１９とからなり、上方の両蓋体部分１７・１８にはその境界部分に、下方のメモリーカード収納部３の開口部８を蓋する蓋体部分１９にはその一側縁部分に、前記ケース本体５の蓋体固定用の溝１４に嵌合する矩形の板状挿入固定部２０が形成されている。
因みに、上記蓋体９は透明若しくは編透明の合成樹脂で形成され、各開口部７・８を蓋した状態でメモリーカード収納部３に収納されたメモリーカード２や小物収納部に収納されている小物２７を外から視認できるようになっている。
また、上方のメモリーカード収納部３および小物収納部４の各開口部７・８を蓋する蓋体部分１７・１８は、薄肉ヒンジ部２１を介して前記板状挿入固定部２０からフラップ状に一体形成されており、メモリーカード収納部３の各開口部７を蓋する蓋体部分は、薄肉ヒンジ部２１を回動中心として個別に揺動して開閉可能になっている。
一方、下方のメモリーカード収納部３の各開口部７を蓋する蓋体部分１９は、前記ケース本体５の蓋体固定用の溝１４に下から挿入されて嵌着される矩形の板状挿入固定部２０から、薄肉ヒンジ部２１を介してフラップ状に一体形成され、メモリーカード収納部３の各開口部７を蓋する蓋体部分１９は、上方のものと同様に、薄肉ヒンジ部２１を回動中心として個別に揺動して開閉可能になっている。
【００１３】
上記各蓋体部分１７・１８・１９は、その揺動先端部に、当該各蓋体部分１７・１８・１９が閉じられたときにその閉じた姿勢を保持するための係合部２２が形成されている。
この係合部２２は、各蓋体部分１７・１８・１９の揺動先端部から直角に板材２３を延出し、その端部にフック状の係合片２４と、このフック状の係合片２４に係合する受け部２５とで形成したものである。
そして、フック状の係合片２４に係合する受け部２５は、各蓋体部１７・１８・１９分が閉じられた時に、このフック状の係合片２４が対面するケース本体５の側面部分を凹入し、この凹入した部分に突条２６を設けて構成してある。
【００１４】
上記のように構成されたメモリーカード収納用ケース１を使用する手順を次に説明する。
先ず、係合部２２の係合を解除して蓋体９を跳ね上げた状態にし、各メモリーカード収納部３にはその上方からメモリーカード２を挿入し、小物収納部４にはタッチ用ペン、いわゆるスタイラスペン等の小物２７を挿入して収納する。
次に、蓋体部分１７・１８・１９を揺動させて各収納部３・４を閉じるとともに、蓋体部分１７・１８・１９の先端部分の係合片２４を受け部２５に係合させると、複数のメモリーカード２と小物２７はメモリーカード収納用ケース１に収納される。
これにより、複数のメモリーカード２や小物２７は、１つのメモリーカード収納用ケース１に収納されるので、携行や整理には至便なものとなる。
【００１５】
斯くして、１つのメモリーカード収納用ケース１に個別に収納された複数のメモリーカード２や小物２７を取り出して使用する場合、先ず蓋体部分１７・１８・１９の先端に形成された係合片２４とこれを受け止めているケース本体５側の受け部２５との係合を解除し、薄肉ヒンジ部２１を回動中心として各蓋体部分１７・１８・１９を上方に跳ね上げて各収納部３・４の上方開口部７・８を開放する。
次に、小物収納部４の小物２７はそのまま摘み出して使用するのであるが、メモリーカード収納部３からメモリーカード２を取り出す場合、図５に示すように指先２８で傾斜状１３側のメモリーカード２部分をを上方から押さえ込む。
するとメモリーカード２は他方の端部が跳ね上がって斜めになるので、この跳ね上がった部分をつかんで引き出すだけで、メモリーカード２はカード収納用ケース１から簡単に取り出すことができる。
【００１６】
尚、上記実施の形態で図示したメモリーカード収納部３を隣接して連続した状態で上下に設けてメモリーカード収納用ケース１を形成するようにしてあるが、こうしたものに限られす、メモリーカード収納部３は１つであってもよいことは勿論のことであり、小物収納部４は省略することができるのは言うまでもないことである。
また、上記実施の形態では本発明にかかるメモリーカード収納用ケース１をゲーム機に使用するメモリーカード２を例に説明してあるがこうしたものに限られす、例えばパーソナルコンピュータのフラッシュメモリーやデジタルカメラの記憶媒体であるメモリーカードの収納にも使用することができるのは勿論のことである。
【００１７】
さらに、上記実施の形態における跳ね上げ部１１は、長方形の穴１０の長辺にそって一対のメモリーカード支持用の板状部材１２を立設し、その一端側を傾斜状１３に切り欠いて形成したものに限られず、図示は省略したが、メモリーカード収納部３の底部６または側壁部分に突起若しくは凸条（メモリーカード支持部）を設け、メモリーカード収納部３に収納されたメモリーカード２がこの突起若しくは凸条を支点として揺動可能に収納することにより本発明を実施することができる。
この場合、突起若しくは凸条がメモリーカード支持部と上記実施の形態のメモリーカードを跳ね上げる傾斜状１３部分を兼ねる。
【図面の簡単な説明】
【００１８】
【図１】は本発明にかかるメモリーカード収納用ケースの使用状態の斜視図である。
【図２】は本発明にかかるメモリーカード収納用ケースの平面図である。
【図３】は本発明にかかるメモリーカード収納用ケースの正面図である。
【図４】は本発明にかかるメモリーカード収納用ケースの図２のＡ−Ａ線断面図である。。
【図５】は本発明にかかるメモリーカード収納用ケースからメモリーカードをケースから取り出す手順を示す縦断側面図である。
【符号の説明】
【００１９】
１・・・メモリーカード収納用ケース
２・・・メモリーカード
３・・・メモリーカード収納部
４・・・小物収納部
５・・・ケース本体
６・・・底部
７・・・メモリーカード収納部の開口部
８・・・小物収納部の開口部
９・・・蓋体
１１・・・跳ね上げ部
１２・・・板状部材（メモリーカード支持部）
１３・・・傾斜状
２３・・・板材
２７・・・小物
【図１】
2010029509.tif 000003
【図２】
2010029509.tif 000004
【図３】
2010029509.tif 000005
【図４】
2010029509.tif 000006
【図５】
2010029509.tif 000007